(57)【要約】【課題】折り畳み式携帯電話機を使用対象とし、この折り畳み式携帯電話機の構造を利用して、ストラップの取り付けや取り外しが簡単にできるようにすると共に、ストラップで吊り下げた場合に、携帯電話機を真っ直ぐに向けることができるようにした携帯電話機用ストラップの提供。【解決手段】本体部１０に蓋体１１がヒンジ部１２により連結された折り畳み式携帯電話機Ｂを使用対象とした携帯電話機用ストラップＡであって、ヒンジ部に着脱可能に掛け回すための装着紐部２０と、この装着紐部の両端間に渡されたストラップ本体２１を備え、前記装着紐部は弾性により拡縮可能に形成され、通常の縮小状態から拡大して、その拡大状態で前記ヒンジ部に掛け回されるように輪ゴム状に形成されている。【選択図】　　　図２
2004065435.tif 000002
【特許請求の範囲】
【請求項１】
本体部に蓋体がヒンジ部により連結されて、蓋体を開いた展開状態と、蓋体を閉じた閉鎖状態に開閉できるように形成されている折り畳み式携帯電話機を使用対象としたストラップであって、
前記ヒンジ部に着脱可能に掛け回すための装着紐部と、この装着紐部の両端間に渡されたストラップ本体を備え、
前記装着紐部は弾性により拡縮可能に形成され、通常の縮小状態から拡大して、その拡大状態で前記ヒンジ部に掛け回されるように輪ゴム状に形成されていることを特徴とする携帯電話機用ストラップ。
【請求項２】
請求項１記載の携帯電話機用ストラップにおいて、前記ストラップ本体として、ブレスレット、ネックレス、ブラジャー用装飾肩紐等の紐状装身具が用いられている携帯電話機用ストラップ。
【発明の詳細な説明】
【０００１】
【発明の属する技術分野】
本発明は、携帯電話機用ストラップに関し、特に、折り畳み式携帯電話機を使用対象としたストラップに関する。
【０００２】
【従来の技術】
携帯電話機には、これを持つ時の手掛けとしたり、吊り下げる時の掛け紐としたり、あるいは装飾用等として、ストラップを取り付けているものが多い。
このストラップについては、布紐、皮紐、チエン状等、種々の形態のものがあるが、これらは何れもストラップ本体の上端にループ状の細紐が取り付けられた構造になっている。
そして、前記ループ状の細紐を携帯電話機の側部に形成したストラップ用の取付穴に通した後、そのループ内にストラップ本体を下端から通すことで携帯電話機に取り付けられるようになっている。
【０００３】
【発明が解決しようとする課題】
上記のように、従来のストラップは、上端に取り付けたループ状の細紐と、携帯電話機に形成したストラップ用の取付穴とを利用して取り付けるようになっているため、その取り付けや取り外しが煩わしいという問題があった。
又、ストラップ用の取付穴が携帯電話機の側部に形成されているため、ストラップで吊り下げた場合に、どうしても携帯電話機が傾いてしまい、見た目が悪いという問題があった。
【０００４】
本発明は、かかる従来の問題を解決するためになされたもので、折り畳み式携帯電話機を使用対象とし、この折り畳み式携帯電話機の構造を利用して、ストラップの取り付けや取り外しが簡単にできるようにすると共に、ストラップで吊り下げた場合に、携帯電話機を真っ直ぐに向けることができるようにした携帯電話機用ストラップを提供することを第１の課題としている。
【０００５】
又、加えて、ストラップ本体に、ブレスレット、ネックレス、ブラジャー用装飾肩紐等の紐状装身具を用いることで、ストラップ本体自身の審美性を向上させると共に、紐状装身具の利用範囲を、単なる装身具とするだけでなく、ストラップ用として利用拡大できるようにした携帯電話機用ストラップを提供することを第２の課題としている。
【０００６】
【課題を解決するための手段】
上記の第１の課題を解決するために、本発明の携帯電話機用ストラップ（請求項１）は、
本体部に蓋体がヒンジ部により連結されて、蓋体を開いた展開状態と、蓋体を閉じた閉鎖状態に開閉できるように形成されている折り畳み式携帯電話機を使用対象としたストラップであって、
前記ヒンジ部に着脱可能に掛け回すための装着紐部と、この装着紐部の両端間に渡されたストラップ本体を備え、
前記装着紐部は弾性により拡縮可能に形成され、通常の縮小状態から拡大して、その拡大状態で前記ヒンジ部に掛け回されるように輪ゴム状に形成されている構成とした。
【０００７】
又、上記の第２の課題を解決するために、本発明の携帯電話機用ストラップ（請求項２）は、前記携帯電話機用ストラップ（請求項１）において、前記ストラップ本体として、ブレスレット、ネックレス、ブラジャー用装飾肩紐等の紐状装身具が用いられている構成とした。
【０００８】
【発明の実施の形態】
以下、本発明の実施の形態を図面に示す実施例により詳述する。ただし、本発明の具体的な構成はこの実施例に限定されるものではない。
【０００９】
図１は本発明の１実施例である携帯電話機用ストラップを示す斜視図、図２及び図３はこの携帯電話機用ストラップを折り畳み式携帯電話機に取り付けた状態の斜視図である。
【００１０】
本実施例の携帯電話機用ストラップＡは、折り畳み式携帯電話機Ｂを使用対象としている。
この折り畳み式携帯電話機Ｂは、本体部１０に蓋体１１がヒンジ部１２により連結されたもので、蓋体を開いた展開状態と、蓋体を閉じた閉鎖状態に開閉できるように形成されている。
この場合、本体部１０の内面には、各種の操作ボタン１３が配列され、又、蓋体１１の内面には、ディスプレイ表示部としての液晶画面１４が設けられている。
なお、この折り畳み式携帯電話機Ｂとしては、種々多くの形態があり、要は、本体部１０に蓋体１１がヒンジ部１２により連結され、蓋体１１を開いた展開状態（図３の状態）と、蓋体１１を閉じた閉鎖状態（図２の状態）に開閉できるように形成されていれば、本発明で言う折り畳み式携帯電話機に含まれるものとする。
【００１１】
前記携帯電話機用ストラップＡは、前記ヒンジ部１２に着脱可能に掛け回すための装着紐部２０と、この装着紐部２０の両端間に渡されたストラップ本体２１を備えている。
前記装着紐部２０は拡縮可能に形成され、通常の縮小状態から拡大して、その拡大状態で前記ヒンジ部１２に掛け回されるように輪ゴム状に形成されている。
【００１２】
この実施例では、装着紐部２０として、クラフト用ゴムとして市販されている透明な樹脂製ゴムを輪ゴムにしたものが用いられている。
なお、装着紐部２０としては、これ以外に、例えば、一般的な輪ゴム、ゴム紐を輪ゴムにしたもの等を用いることができるし、透明、不透明は問わない。
又、前記装着紐部２０は、折り畳み式携帯電話機Ｂのヒンジ部１２に掛け回されるため、折り畳み式携帯電話機Ｂの開閉の障害にならないように、できるだけ細いものを用いるのが好ましい。
【００１３】
又、実施例では、ストラップ本体２１として、紐状装身具であるブレスレットが用いられているが、これ以外に、ネックレスやブラジャー用装飾肩紐等を用いることができるし、その素材としては、貴金属やステンレス等の金属、プラスチック、木材、紙、布、皮等を用いることができる。
また、装飾形態についても、多数の部品を一連に連結したチエン状のもの、多数の真珠や宝石やビーズやガラス玉等を紐やチエンで連結したり、紐やチエンに通したもの、或いは、１個又は複数個のペンダントトップを紐やチエンに通したもの等を用いることができるし、ストラップ本体２１にクリップを取り付けるようにしてもよい。
【００１４】
又、装着紐部２０のストラップ本体２１に対する結合は、ストラップ本体２１の両端に設けた環金具２２，２２に装着紐部２０を通したり、或いは、ストラップ本体２１に装着紐部２０を結び付けたり、溶着させたり、接着させたり、金具等で止め付けることができる。
【００１５】
上記した携帯電話機用ストラップＡを使用するには、装着紐部２０を、その弾性により通常の縮小状態から拡大させ、その拡大状態で折り畳み式携帯電話機Ｂのヒンジ部１２に掛け回すようにする。
この場合、折り畳み式携帯電話機Ｂの蓋体１１を開き、その状態で装着紐部２０を拡大して、この中に蓋体１１（本体部１０でも可）を通していき、ヒンジ部１２で装着紐部２０を縮小させることにより、このヒンジ部１２に装着紐部２０を嵌めるように掛け回すことになる。
このようにして、装着紐部２０をヒンジ部１２に掛け回すと、この装着紐部２０の弾性による締め付け力で装着紐部２０がヒンジ部１２に窮屈に掛け回され、脱落することなく、確実に携帯電話機用ストラップＡを折り畳み式携帯電話機Ｂのヒンジ部１２に取り付けることができる。
【００１６】
又、この携帯電話機用ストラップＡは、折り畳み式携帯電話機Ｂを使用対象とし、そのヒンジ部１２に掛け回すようにしているため、折り畳み式携帯電話機Ｂを折り畳んだ状態（図２の状態）では、装着紐部２０がヒンジ部１２による屈折部分において蓋体１１と本体部１０とで挟まれた状態になり、装着紐部２０の外れを確実に防止することができる。
【００１７】
又、ストラップ本体２１の両端部が、折り畳み式携帯電話機Ｂの横幅（ヒンジ部１２の横幅）の間隔を持って開くため、戸棚や引き出しの取っ手等にストラップ本体２１を掛け易くなるし、折り畳み式携帯電話機Ｂを持つ時に、ストラップ本体２１に手を通し易くなる。
【００１８】
【発明の効果】
以上説明してきたように、本発明の携帯電話機用ストラップ（請求項１）にあっては、折り畳み式携帯電話機の特徴的な構造であるヒンジ部を利用し、ここに弾性により拡縮する装着紐部を掛け回すようにしたので、ストラップの取り付けや取り外しが簡単にできるようになるし、また、折り畳み式携帯電話機をストラップで吊り下げた場合に、携帯電話機を真っ直ぐに向けることができる。
【００１９】
又、本発明の携帯電話機用ストラップ（請求項２）にあっては、加えて、ストラップ本体に、ブレスレット、ネックレス、ブラジャー用装飾肩紐等の紐状装身具を用いるため、ストラップ本体自身の審美性を向上させることができるし、紐状装身具を単なる装身具とするだけでなく、ストラップ用として利用でき、その利用範囲を拡大できるという効果が得られる。
【図面の簡単な説明】
【図１】本発明の１実施例である携帯電話機用ストラップを示す斜視図である。
【図２】この携帯電話機用ストラップを折り畳み式携帯電話機に取り付けた状態の斜視図である。
【図３】この携帯電話機用ストラップを折り畳み式携帯電話機に取り付けた状態の斜視図である。
【符号の説明】
Ａ　携帯電話機用ストラップ
Ｂ　折り畳み式携帯電話機
１０　本体部
１１　蓋体
１２　ヒンジ部
１３　操作ボタン
１４　液晶画面
２０　装着紐部
２１　ストラップ本体
２２　環金具
【図１】
2004065435.tif 000003
【図２】
2004065435.tif 000004
【図３】
2004065435.tif 000005